【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
利用者からの入力を受け付ける入力機器と、利用者へ情報表示する出力機器と、を備えた情報処理端末において、
ディスプレイ装置と近距離の通信を行う第一の近距離通信機器と、
前記ディスプレイ装置とネットワークを経由して通信を行う第二の通信機器と、
を備え、
前記第一の近距離通信機器を介して前記ディスプレイ装置との間で前記ディスプレイ装置の使用開始前に通信するとともに、前記第二の通信機器を介して前記ディスプレイ装置とデータを送受信することを特徴とする情報処理端末。
【請求項２】
請求項１において、
前記ディスプレイ装置にデータを投稿する機能と、
投稿されたデータへのコメントを入力する機能と、
を有することを特徴とする情報処理端末。
【請求項３】
請求項２において、
前記ディスプレイ装置に表示された対象物を選択する手段を備えることを特徴とする情報処理端末。
【請求項４】
周辺の利用者への情報提供を行うディスプレイ装置において、
情報処理端末と近距離の通信を行う第一の近距離通信機器と、
前記情報処理端末とネットワークを経由して通信を行う第二の通信機器と、
を備え、
前記第一の近距離通信機器を介して前記情報処理端末との間で、前記情報処理端末が前記ディスプレイ装置を利用するために使用開始前の通信処理を行い、前記第二の通信機器を介して前記情報処理端末とデータを送受信することを特徴とするディスプレイ装置。
【請求項５】
請求項４において、
前記第一の近距離通信機器と前記情報処理端末との間の通信確立情報と、前記第二の通信機器と前記携帯処理端末との間の通信確立情報とを対応付ける処理を行うことを特徴とするディスプレイ装置。
【請求項６】
請求項４または５記載のディスプレイ装置を備え、
前記ディスプレイ装置が、電子掲示板であることを特徴とする電子掲示システム。
【請求項７】
基地局の第１通信ゾーン内において当該基地局と無線通信を行って、当該基地局を介してネットワークに接続する第１通信手段と、
前記ネットワークに接続されたディスプレイ端末の、前記第１通信ゾーンよりも狭い第２通信ゾーン内において、前記ディスプレイ端末と無線通信を行う第２通信手段と、
ユーザからの指示を受け付ける入力手段と、
前記第２通信手段と前記ディスプレイ端末との接続を指示する指示を前記入力手段が受け付けた場合、前記第２通信手段から接続要求を出力し、当該接続要求に応じて前記ディスプレイ端末が返信したアドレス情報を前記第２通信手段が受け付けると、当該アドレス情報が示す、前記ネットワーク上のリソースに対するアクセス要求を前記第１通信手段から出力する制御手段と、
を備えることを特徴とする携帯端末。
【請求項８】
請求項７記載の携帯端末であって、
記憶手段を有し、
前記リソースを有するサーバと前記第１通信手段とのセッションに割り当てられた第１識別情報を、前記アクセス要求に対する応答として前記第１通信手段が受信すると、前記制御手段は、前記第１識別情報を前記記憶手段に格納し、
公開用情報の送信指示を前記入力手段が受け付けると、前記制御手段は、前記第１識別情報に対応付けられる前記ディスプレイ端末上における前記公開用情報の表示を要求する、前記公開用情報及び前記記憶手段中の第１識別情報を含んだ要求を、前記サーバに送信すべく前記第１通信手段から出力させる、
ことを特徴とする携帯端末。
【請求項９】
公開用の画像をディスプレイに表示する情報処理端末であって、
ネットワークに接続される第３通信手段と、
通信ゾーンを有し、当該通信ゾーン内の携帯端末と無線通信を行う第４通信手段と、
前記通信ゾーン内の携帯端末からの接続要求を前記第４通信手段が受け付けた場合には、当該接続要求に応じて、前記ネットワーク上のリソースの位置を表すアドレス情報を前記第４通信手段から出力し、前記リソースを利用して前記携帯端末が前記ネットワーク上に送信した公開用情報を、前記ネットワークを介して前記第３通信手段が受け付けた場合には、当該公開用情報を前記公開用の画像として前記ディスプレイに表示する制御手段と、
を有することを特徴とする情報処理端末。
【請求項１０】
ネットワークを介して携帯端末または情報処理端末との間で通信を行う通信手段と、
前記通信手段が、前記情報処理端末を介して、前記携帯端末からの接続要求を受け付けた場合に、前記ネットワーク上のリソースの位置を表すアドレス情報を、前記情報処理端末に送信すべく前記通信手段から出力させる制御手段を有し、
携帯端末と当該携帯端末からの接続要求を前記通信手段に送信した情報処理端末との対応情報を記憶する記憶手段と、
前記制御手段は、
前記携帯端末が前記リソースを利用して送信した公開用情報を前記通信手段が受け付けた場合に、前記対応情報により当該携帯端末に対応付けられる情報処理端末に対して、当該公開用情報の表示を要求する表示要求を前記通信手段から出力させることを特徴とするサーバ。
【請求項１１】
請求項１０記載のサーバであって、
前記制御手段は、
前記通信手段が前記接続要求を受け付けた場合、前記情報処理端末を介した前記携帯端末とのセッションに割り当てた第１識別情報を、前記情報処理端末に対応付けて前記対応情報に格納して、前記携帯端末宛てに前記通信手段から出力させ、
前記通信手段が前記公開用情報とともに前記第１識別情報または当該第１識別情報に関連する第２識別情報を受け付けた場合に、前記対応情報により前記第１識別情報に対応付けられる情報処理端末、または、前記対応情報により、前記第１識別情報を介して前記第２識別情報に対応付けられる情報処理端末に対する前記表示要求を前記通信手段から出力させる、
ことを特徴とするサーバ。
【請求項１２】
請求項９記載の情報処理端末と、
前記ネットワークを介して前記情報処理端末に接続された、請求項１１記載のサーバと、
を有することを特徴とするネットワークシステム。
【請求項１３】
公開用の画像を表示する情報処理端末を、携帯端末のユーザに利用させる方法であって、
前記携帯端末は、
基地局の第１通信ゾーン内において当該基地局と無線通信を行って、当該基地局を介してネットワークに接続する第１通信手段と、
前記ネットワークに接続された情報処理端末の、前記第１通信ゾーンよりも狭い第２通信ゾーン内において、前記情報処理端末と無線通信を行う第２通信手段と、
を有し、
前記情報処理端末は、
ディスプレイと、
ネットワークに接続された第３通信手段と、
前記第２通信ゾーン内の携帯端末と無線通信を行う第４通信手段と、
制御手段と、
を有し、
当該方法は、
前記情報処理端末において、前記第２通信ゾーン内の前記携帯端末の第２通信手段からの接続要求を前記第４通信手段が受信した場合に、前記制御手段が、当該接続要求に応じて、前記ネットワーク上のリソースの位置を表すアドレス情報を、前記第４通信手段から前記携帯端末の第２通信手段に返信する第１処理と、
前記情報処理端末において、前記リソースの利用により前記携帯端末の第１通信手段が送信した公開用情報を前記第３通信手段が受信した場合には、前記制御手段が、当該公開用情報を前記公開用の画像として前記ディスプレイに表示させる第２処理と、を有することを特徴とする方法。
【請求項１４】
請求項１３記載の方法であって、
前記ネットワークには、前記リソースを有するサーバが接続されており、
前記第１処理は、
前記情報処理端末の第３通信手段が前記接続要求を前記サーバに送信し、当該接続要求に応じて、前記サーバが、前記情報処理端末を介した前記携帯端末の第２通信手段とのセッションに割り当てた第１識別情報を、前記情報処理端末に対応付けて対応情報に格納して、当該第１識別情報及び前記アドレス情報を前記情報処理端末の第３通信手段に返信する処理と、
前記情報処理端末において、前記第３通信手段が、前記アドレス情報及び前記第１識別情報を受信し、前記制御手段が、前記アドレス情報及び前記第１識別情報を前記第３通信手段から前記第２通信手段に送信する処理と、を含み、
前記第２処理は、
前記サーバが、前記リソースへのアクセスにより前記携帯端末の第１通信手段が送信した公開用情報を、前記第１識別情報または当該第１識別情報に関連する第２識別情報とともに受信すると、前記対応情報により前記第１識別情報に対応付けられる情報処理端末、または、前記対応情報により、前記第１識別情報を介して前記第２識別情報に対応付けられる情報処理端末に対して前記表示要求を送信する処理と、
前記情報処理端末において、前記サーバからの前記表示要求を前記第３通信手段が受信し、前記制御手段が、当該公開用情報を前記公開用の画像として前記ディスプレイに表示させる処理と、を含む、
ことを特徴とするサーバ。